(57)【特許請求の範囲】
【請求項１】
振動モータ１９によって振動可能に支持した有底円筒形状のふるい容器本体３、該ふるい容器本体３の中央部に位置するふるい枠１２の上部に固定バンド１６ｂにて着脱自在に載置された網枠１１、該網枠１１内に内蔵固定されたカセット網フレーム２２とスイープリング２６、該カセット網フレーム２２とスイープリング２６は支持ブリッチ２７にて一体化しており、該一体化されたカセット網フレーム２２とスイープリング２６上に張設されたふるい網８、該ふるい網８にふるい容器本体３の外部に設けた超音波発振子２３の超音波振動を伝達するために設けた略Ｌ字形状の金属製丸棒からなるウェーブガイドバー２４と、該ウェーブガイドバー２４の一端がふるい容器本体３の外部に設けた超音波発振子２３の先端部に接続され、他端はウェーブガイドバー２４が略Ｌ字形状の水平直線部２８で前記ふるい容器本体３の中央部に位置するふるい枠１２を貫通してふるい容器本体３内部のふるい網８下部に挿入され、該ウェーブガイドバー２４はＬ字に曲がって前記スイープリング２６の下部に溶接される構成を有する超音波振動伝達部２９において、
前記ふるい容器本体３の中央部に位置するふるい枠１２にはウェーブガイドバー２４が装着されるふるい枠１２のウェーブガイド貫通部３０が設けてあり、該ウェーブガイド貫通部３０にはふるい枠１２を切欠き中央に貫通孔３１を有したフランジ板３２を溶接し、該フランジ板３２に板状の高分子弾性体から成るウェーブガイドパッキン３３を設け、該ウェーブガイドパッキン３３を挟持するパッキン押さえ板３４を設けることにより、前記ふるい容器本体３の中央部に位置するウェーブガイドバー２４のウェーブガイド貫通部３０を前記板状の高分子弾性体から成るウェーブガイドパッキン３３により密閉していることを特徴とする円型振動ふるい装置。
【請求項２】
前記超音波振動伝達部２９においてふるい容器本体３の中央部に位置するふるい枠１２にはウェーブガイドバー２４が装着されるウェーブガイド貫通部３０が設けてあり、該ウェーブガイド貫通部３０には直接ふるい枠１２に成型加工した高分子弾性体からなるウェーブガイドパッキン４４を取付ける貫通孔４４を穿ち、該ウェーブガイドパッキン３３を介して前記ウェーブガイドバー２４がウェーブガイド挿入穴４５に挿入され前記ふるい枠１２を貫通してふるい容器本体３内部のふるい網８下部に配置されていると共に、前記ふるい容器本体３の中央部に位置するふるい枠１２のウェーブガイド貫通部３０は成形加工した高分子弾性体からなるウェーブガイドパッキン４３により密閉していることを特徴とする請求項１に記載の円型振動ふるい装置。
【請求項３】
前記ふるい容器本体３の外部に設けた超音波発振子２３は高分子弾性体からなる弾性保持体を介してコンバーター保持リング３７により保持され、該コンバーター保持リング３７は二本の板材からなるアーム形状のコンバーター支持具３８ａ、３８ｂにより支持されており、該二本のアームコンバーター支持具３８ａ、３８ｂは夫々の基板を前記ふるい容器本体３を形成するふるい枠１２の外周部に設けられた取付金具４１ａ、４１ｂによりふるい容器本体３に固着保持されていることを特徴とする請求項１または請求項２のいずれかに記載された円型振動ふるい装置。
【発明の詳細な説明】
【技術分野】
【０００１】
本発明は、ふるい容器本体を振動モータによって振動させるとともに、ふるい容器本体内の内部に張設されたふるい網を超音波振動させ、食品、医薬品等の粉体等をふるい分けする円型振動ふるい装置に関するものである。
【０００２】
また、本発明は、特にふるい容器本体を振動モータによって振動させるとともに、ふるい容器本体内の内部に張設されたふるい網を超音波振動させるタイプの円型振動ふるい装置において、超音波振動を抑制したり減衰させることなく効率良くふるい網に伝播でき、被処理材料の分散とふるい網の目詰まりを除去できる円型振動ふるい装置を提供するものである。
【背景技術】
【０００３】
円型振動ふるい装置は、固定架台上に複数のコイルバネにより有底円筒上のふるい容器本体を支持し、該ふるい容器本体の軸芯下部に振動を発生する振動モータを具備すると共に、該振動モータ自体の振動を前記ふるい容器本体の内部に張設したステンレス等の金属製ふるい網や合成樹脂製ふるい網に伝達して、食品、医薬品等の各種粉体原材料をふるい分けする装置である。
【０００４】
本発明にかかる円型振動ふるい装置は、前記振動モータによる振動機構備えている他、ふるい容器本体の内部に張設したふるい網の下面にスイープリングを設け、該スイープリングに超音波発振子（コンバーター）を取着した超音波振動機構を取り入れ、該超音波発振子からの超音波振動をスイープリングを介して前記ふるい網に伝達することにより、ふるいの処理能力を高めることができる円形振動ふるい装置である。
【０００５】
斯くして、従来の円型振動ふるい装置として、特開平１１−１２８８４２号公報（以下、特許文献１と称する）に開示された発明がある。特許文献１は振動モータと超音波振動機構を兼ね備えたふるい装置であり、ふるい網が張設された枠体の下側に支持枠を固設し、該支持枠上に複数個のスプリングを介して共振リングを水平に支持し、該共振リングに超音波発振器（コンバーター）を固設するとともに、該スプリングの弾性により該共振リングを前記ふるい網の下面に当接させた構成の超音波発振器付き振動ふるい機である。
【０００６】
そして、特許文献１の発明は、ふるい網の枠体の下側に固設した支持枠上に複数のスプリングを介して共振リングを水平に支持したので、超音波発振器による共振リングの微振動で該共振リングを支持する溶接部分等が破壊するおそれがなくなり、耐久性を向上させると共に、共振リング自体の微振動も自由となるので篩過能力も向上すると云うものである。
【０００７】
然しながら、特許文献１の発明は、ふるい容器本体内に設けられるふるい網枠の下側に超音波発振器となる超音波振動子が設けられているので、該超音波振動子に高周波電源を供給するためのケーブル等から振動に伴ってビニール、塗料、接着材等が擦れて剥がれ異物として混入する欠点や、ふるい網枠下側に設けられた超音波発振器の上面部や支持枠、そして、支持枠を保持するための複数個のスプリングにふるい分けされた被粉体材料が付着したり堆積してしまい１ロット毎の洗浄やクリーニングが容易でない等の欠点があった。
【０００８】
而して、特許文献１の欠点を解消するために特開２００３−１４５０５１号公報（以下、特許文献２と称する）に開示された発明がある。特許文献２の発明は、ふるい分け材料中に異物を混入させるおそれがなく、しかも、ふるい網に超音波振動子の高周波振動が確実に伝達され、所要のふるい分け能力を発揮できると共に、モータにより振動容器本体の全体を振動させることで、ふるい網上の材料が移動して、高能率でふるい分けが行われる振動ふるい機を提供しようとするものである。
【０００９】
特許文献２の発明は、ふるい容器本体をモータによって振動せられるように支持し、ふるい網が張設された環状の網枠の外周に耳部を一体に形成し、弾性サポートを介在させることで該網枠を前記ふるい容器本体中に配置し前記耳部を該ふるい容器本体の外部に突出させるとともに、該耳部に超音波振動子（コンバーター）を固設した構成の振動ふるい機を提供するものであり、超音波振動子をふるい容器本体の外部に突出して設けることでケーブル等から振動に伴ってビニール、塗料、接着材等が擦れて剥がれ異物として混入する欠点や、ふるい網枠下側に特許文献１の如く超音波発振器の上面部や支持枠、そして、支持枠を保持するための複数個のスプリング等が設けられておらず、ふるい分けされた被粉体材料が超音波発振器の上面部や支持枠、そして、支持枠を保持するための複数個のスプリング等に付着したり堆積してしまい１ロット毎の洗浄やクリーニングが容易ではないとの欠点が解消されている。
【００１０】
然しながら、特許文献２の発明は、ふるい網が張設された環状の網枠の外周に耳部を一体に設けている構造で、該耳部はふるい容器本体の外部に突出して設けられており、耳部に固設された超音波振動子の超音波振動は、耳部から幅広の弾性サポート材を介して環状の網枠に伝わりこの網枠を通してふるい網に伝えられるもので、前記ふるい容器本体の外部に突出した耳部は、ふるい容器本体の上端開口縁と円筒体との間に弾性サポートを介在させて配置し、該円筒体の下縁の一部に形成された切欠から外部に突出しており、前記耳部は弾性サポートを介して円筒体とサポート部材、そして振動容器に金属バンドにて強固に挟持、固定されている構成で、前記耳部を介しての超音波振動の伝播は当該耳部の保持部において抑制されると共に大幅に減衰するので、ふるい網への振動の伝播の効率化を追求するには大きな出力の振動子を必要とする欠点を有している。
【００１１】
また、特許文献２の発明は、ふるい容器本体をモータによって振動せられるように支持し、ふるい網が張設された環状の網枠の外周に耳部を一体に形成し、弾性サポートを介在させることで環状の網枠を前記ふるい容器本体中に配置して前記耳部をそのふるい容器本体の外部に突出させ、該耳部に超音波振動子を固設した構成の振動ふるい機であり、前記ふるい容器本体の外部に突出した耳部は、前記ふるい容器本体の上端開口縁と円筒体との間に弾性サポートを介在させて配置し、該円筒体の下縁の一部に形成された切欠から外部に突出しているもので、運転中常に低周波振動をしているふるい容器本体から弾性サポートを介してふるい容器本体の外側に突出した耳部は、構造的にも不安定で、共振や振動音の発生の原因を有しており、また、網枠やふるい網等が機械疲労により破損しやすい欠点を有している。
【００１２】
更にまた、特開２００６−１３０４３３号公報（以下、特許文献３と称する）に開示された発明は、超音波振動子（コンバーター）のケーブル等が剥離して、被処理物に混入する不具合を防止しつつ、ふるい網をより強力に超音波振動させうるふるい装置を提供するものである。特許文献３の発明は、環状の網枠と、上記網枠の内側に配置され、超音波振動させられる振動部材と、上記網枠及び振動部材に架け渡して張られたふるい網と、上記網枠と一体に構成、または上記網枠に連結されて網枠の上方に配置され、上記ふるい網を通す被処理物が自身の内側を通るように構成された上部筒状部を有する上部枠筒部材、及び、上記網を通った被処理物が自身の内側を通るように構成された下部筒状部を有する下部枠筒部、の少なくともいずれかと、ケーブルを含み、このケーブルを通じて供給される電力をもちいて、超音波振動を発生する超音波振動子であって、この超音波振動子のうち、少なくとも上記ケーブルのうち外部に露出した部分が上記上部枠筒状材の上部筒状部または上記下部枠筒部材の下部筒状部よりも外側に配置されてなる超音波振動子と、金属からなり、上記超音波振動子からの超音波振動を上記振動部材に伝達して上記振動部材を超音波振動させる振動伝達部材を備えるふるい装置である。
【００１３】
そして、特許文献３における超音波振動子の配置は、この超音波振動子に接続しているケーブルのうち露出した部分が、上部枠筒部材の上部筒状部または下部枠筒部材の下部筒状部よりも外側に配置されている。このため、超音波振動や粉体などの被処理物との摩擦により、ケーブルから剥離した樹脂片等の異物が被処理物内に混入することを防止でき、更には、超音波振動子で発生された超音波振動は、振動伝達部材を介して、網枠の内側に配置された振動部材に伝えられ、この振動部材から直接ふるい網に伝えられるから強力にふるい網を超音波振動させることができると云うものである。
【００１４】
斯くして、特許文献３は、中枠の振動子保持筒部を設け、該振動子保持筒部内に超音波振動子とケーブルを内蔵してしまい超音波振動や粉体などの被処理物との摩擦により、ケーブルから剥離した樹脂片等の異物が被処理物内に混入することを防止できるふるい装置であることは明らかであるが、超音波振動子で発生された超音波振動を、振動伝達部材を介して、網枠の内側に配置された振動部材に伝え、この振動部材から直接ふるい網に伝えるための構成が非常に複雑になり、また部品数も多くなることから製品製作コストがアップする等の欠点が生じる。
【００１５】
また、中枠内に少なくとも二つの突出した振動子保持筒部を設けることも、同様に製品製作コストのアップに繋がる他、ふるい網の下部に設けられる突出振動部や振動子保持筒部、前面板、そして振動伝達部材は、ふるい分けされた被粉体材料が付着したり堆積してしまい１ロット毎の洗浄やクリーニングが容易ではない等の欠点がある。
尚、特許文献１乃至特許文献３にはコンバーターを超音波発振器や超音波振動子等の名称にて説明しているが、本発明の説明おいては、以下、コンバーターを超音波発振子の名称を用いて説明することにする。
【先行技術文献】
【特許文献】
【００１６】
【特許文献１】特開平１１−１２８８４２号公報
【特許文献２】特開２００３−１４５０５１号公報
【特許文献３】特開２００６−１３０４３３号公報
【発明の概要】
【発明が解決しようとする課題】
【００１７】
本発明が解決しようとする課題は、ふるい容器本体を振動モータによって振動させるとともに、ふるい容器本体内の内部に張設されたふるい網を超音波振動させるタイプの円型振動ふるい装置において、超音波微振動を効率良くふるい網に伝達でき、原材料の分散とふるい網の目詰まりを除去できる円型振動ふるい装置を提供するものである。
【００１８】
また、本発明は、特許文献１の発明の如く、超音波発振子に高周波電源を供給するためのケーブル等から振動に伴ってビニール、塗料、接着材等が擦れて剥がれ異物として混入する欠点を解消すること、特許文献１の発明の如くふるい網枠下側に設けられた超音発振子の上面部や支持枠、そして、支持枠を保持するための複数個のスプリングにふるい分けされた被粉体材料が付着したり堆積してしまう欠点を解消すること、並びに特許文献３の発明の如くふるい枠下部に突出して設けられた突出振動部や振動子保持筒部より突出した振動伝達部材には、被粉体材料が付着したり堆積してしまい、１ロット毎の洗浄やクリーニングが容易ではない等の欠点を解消するものである。
【００１９】
更に本発明は特許文献２の発明の如く、ふるい網が張設された環状の網枠の外周に耳部を一体に設けている構造で、ふるい容器本体の外部に設けられた超音波発振子の超音波振動は耳部から環状の網枠に伝播されるが、前記ふるい容器本体の外部に突出した耳部は、ふるい容器本体の上端開口縁と円筒体との間に弾性サポートを介在させて配置し、該円筒体の下縁の一部に形成された切欠から外部に突出しており、前記耳部は弾性サポートを介して円筒体とサポート部材、そして振動容器に金属バンドにて強固に挟持、固定されている構成で、前記耳部を介しての超音波振動の伝播は当該耳部の保持部において抑制されると共に大幅に減衰するので、ふるい網への振動の伝播の効率化を追求するには大きな出力の振動子を必要とする欠点を有しており、この欠点を解消して、超音波振動を効率良くふるい網に伝達でき、原材料の分散とふるい網の目詰まりを除去できる円型振動ふるい装置を提供するものである。
【００２０】
そして、本発明は、特許文献３の発明の如く、超音波発振子で発生された超音波振動を、振動伝達部材を介して、網枠の内側に配置された振動部材に伝え、この振動部材から直接ふるい網に伝えるための構成が非常に複雑になり製品製作コストがアップする等の欠点を解消する円型振動ふるい装置を提供するものである。
【課題を解決するための手段】
【００２１】
本発明は、ふるい網にふるい容器本体の外部に設けた超音波発振子の超音波振動を伝達するために設けた略Ｌ字形状の金属製丸棒からなるウェーブガイドバーと、該ウェーブガイドバーの一端がふるい容器本体の外部に設けた超音波発振子の先端部に接続され、他端はウェーブガイドバーが略Ｌ字形状の水平直線部で前記ふるい容器本体の中央部に位置するふるい枠を貫通してふるい容器本体内部のふるい網下部に挿入され、該ウェーブガイドバーはＬ字に曲がって前記スイープリング２６の下部に溶接される構成を有する超音波振動伝達部において、前記ウェーブガイドバーが装着されるふるい枠のウェーブガイド貫通部はふるい枠を切欠き中央に貫通孔を有したフランジ板を溶接し、該フランジ板に板状の高分子弾性体から成るウェーブガイドパッキンを設け、該ウェーブガイドパッキンを挟持するパッキン押さえ板を設けることにより、前記ふるい容器本体の中央部に位置するウェーブガイドバーのウェーブガイド貫通部３０を高分子弾性体から成るウェーブガイドパッキンにより密閉しているものである。
【００２２】
また、本発明は、ふるい網にふるい容器本体の外部に設けた超音波発振子の超音波振動を伝達するために設けた略Ｌ字形状の金属製丸棒からなるウェーブガイドバーと、該ウェーブガイドバーの一端がふるい容器本体の外部に設けた超音波発振子の先端部に接続され他端はウェーブガイドバーが略Ｌ字形状の水平直線部で前記ふるい容器本体の中央部に位置するふるい枠を貫通してふるい容器本体内部のふるい網下部に挿入され、該ウェーブガイドバーはＬ字に曲がって前記スイープリングの下部に溶接される構成の超音波振動伝達部において、
前記ふるい容器本体の中央部に位置するふるい枠の貫通部には直接ふるい枠に成型加工した高分子弾性体からなるウェーブガイドパッキンを取付ける貫通孔４４を穿ち、該ウェーブガイドパッキンを介して前記ウェーブガイドバーがウェーブガイド挿入穴に挿入され前記ふるい枠を貫通してふるい容器本体内部のふるい網下部に配置されているものである。
【００２３】
更に本発明の具体的な構成は、振動モータによって振動可能に支持した有底円筒形状のふるい容器本体、該ふるい容器本体の中央部に位置するふるい枠の上部に固定バンドにて着脱自在に載置された網枠、該網枠内に内蔵固定されたカセット網フレームとスイープリング、該カセット網フレームとスイープリングは支持ブリッチにて一体化しており、該一体化されたカセット網フレームとスイープリング上に張設されたふるい網、該ふるい網に前記ふるい容器本体外部に設けた超音波発振子の超音波振動を伝達するために設けた略Ｌ字形状の金属製丸棒からなるウェーブガイドバー、該ウェーブガイドバーの一端はふるい容器本体外部に設けた超音発振動子の先端部に接続され他端は略Ｌ字形状の水平直線部で前記ふるい容器本体３の中央部に位置するふるい枠を貫通してふるい容器本体内部のふるい網下部に挿入されＬ字に曲がって前記スイープリングの下部に溶接された構成の超音波振動伝達部からなり、該超音波振動伝達部のうち前記ふるい容器本体の中央部に位置するふるい枠のウェーブガイド貫通部は高分子弾性体から成るウェーブガイドパッキンにより密閉している円型振動ふるい装置である。
【００２４】
そして、本発明における構成の一部は、前記ふるい容器本体の外部に設けた超音波発振子は高分子弾性体からなる弾性保持体を介してコンバーターサポートリングにより保持され、該コンバーターサポートリングは二本の板材からなるアーム形状のコンバーター支持具により支持されており、該二本のアームコンバーター支持具は夫々の基板を前記ふるい容器本体を形成するふるい枠の外周部に設けられた取付金具によりふるい容器本体に固着保持されているものである。
【発明の効果】
【００２５】
斯して、本発明は、略Ｌ字形状の金属製丸棒からなるウェーブガイドによりふるい容器本体の外部に設けられた超音波発振子にてスイープリングに超音波振動が伝達され、このスイープリングを介してふるい網に超音波振動が伝えられる構成で、ウェーブガイドによる超音波振動の伝達は途中において超音波振動が抑制・減衰されることなく、効率良くふるい網に伝達できる円型振動ふるい装置を提供することが可能になった。
【００２６】
また、本発明において、略Ｌ字形状の金属製丸棒からなるウェーブガイドを介してスイープリング、そしてふるい網に伝達される超音波振動は、従来の固定周波数による超音波振動とは異なり、任意の周波数を軸として増減を繰り返す振動を前記スイープリングに与えることができるので、ふるい網前面にムラなく振動を与えることが可能となり、ふるい網への振動は途中で大幅に抑制されたり減衰することなく超音波振動を効率良くふるい網に伝達でき、原材料の分散とふるい網の目詰まりを除去できる円型振動ふるい装置を提供することが可能になった。
【００２７】
更に、本発明は、超音波発振子をウェーブガイドを介してふるい容器本体の外部に設置することができたために、超音波発振子に高周波電源を供給するためのケーブル等から振動に伴ってビニール、塗料、接着材等が擦れたり剥がれてしまい被処理材料内に異物として混入する欠点を解消することができ、また、ふるい網の下側には、わずかに金属製の丸棒からなるウェーブガイドの一部が存在するのみであり、ふるい処理中に被粉体材料が付着したり堆積してしまう構成や突出部材がすくないので、１ロット毎の洗浄やクリーニング、そしてメンテナンスが容易に行える円型振動ふるい装置を提供することが可能になった。
【００２８】
そして、本発明は、超音波発振子で発生された超音波振動を略Ｌ字形状の金属製丸棒からなるウェーブガイドバーによりスイープリングに直接伝達するもので、該超音波振動はスイープリングを介してふるい網に伝えられる簡単な構成であることから、製品製作コストの削減が大幅に可能となり、構造が簡単でシンプルな構成は耐久性を向上させ、メンテナンスが容易に行える円型振動ふるい装置を提供するものである。
【図面の簡単な説明】
【００２９】
【図１】本発明における円型振動ふるい装置を示す要部断面図。
【図２】（Ａ）実施例１を説明する縦断面拡大図。（Ｂ）実施例１を説明する図２（Ａ）の平面断面図。
【図３】（Ａ）実施例２を説明する縦断面拡大図。（Ｂ）実施例２を説明する図３（Ａ）の平面断面図。
【図４】（Ａ）本発明のふるい網部を説明する斜視図。（Ｂ）本発明のふるい網部の駆動状態説明。
【発明を実施するための形態】
【００３０】
本発明における円型振動ふるい装置は、固定架台上に複数のコイルバネにより有底円筒上のふるい容器本体を支持し、該ふるい容器本体の軸芯下部に振動を発生する振動モータを具備すると共に、該振動モータ自体の振動を前記ふるい容器本体の内部に張設したステンレス等の金属製ふるい網や合成樹脂製ふるい網に伝達して、食品、医薬品等の各種粉体原材料をふるい分けする装置である。
【００３１】
また、本発明は、前記振動モータによる振動機構備えている他、ふるい容器本体の内部に張設したふるい網の下面にスイープリングを設け、該スイープリングに超音波発振子を取着した超音波振動機構を取り入れ、該超音波発振子からの超音波振動をスイープリングを介して前記ふるい網に伝達することにより、ふるいの処理能力を高めることができる円型振動ふるい装置である。
【００３２】
そして、本発明を具体的に詳説すると、ふるい容器本体を振動モータによって振動させるとともに、ふるい容器本体内の内部に張設されたふるい網を超音波振動させるタイプの円型振動ふるい装置において、超音波振動を効率良くふるい網に伝達でき、原材料の分散とふるい網の目詰まりを除去できる円型振動ふるい装置を提供するものである。
【００３３】
また、本発明は、特許文献１の発明の如く、超音波発振子に高周波電源を供給するためのケーブル等から振動に伴ってビニール、塗料、接着材等が擦れて剥がれ異物として混入する欠点を解消すること、特許文献１の発明の如くふるい網枠下側に設けられた超音発振子の上面部や支持枠、そして、支持枠を保持するための複数個のスプリングにふるい分けされた被粉体材料が付着したり堆積してしまう欠点を解消すること、並びに特許文献３の発明の如くふるい枠下部に突出して設けられた突出振動部や振動子保持筒部より突出した振動伝達部材には、被粉体材料が付着したり堆積してしまい、１ロット毎の洗浄やクリーニングが容易ではない等の欠点を解消するものである。
【００３４】
更に本発明は、特許文献２の発明の如く、ふるい網が張設された環状の網枠の外周に耳部を一体に設けている構造で、ふるい容器本体の外部に設けられた超音波発振子の超音波振動は耳部から環状の網枠に伝わり、この網枠を介してふるい網に伝えられるためにふるい枠には上下動の単一振動パターンが伝達されることになり、ふるい網への振動は途中で大幅に減衰するので、適切なふるい処理の効率化を追求するには大きな出力の振動子を必要とし、現実的な振動ふるい機ではない等の欠点を解消して、超音波振動を効率良くふるい網に伝達でき、原材料の分散とふるい網の目詰まりを除去できる円型振動ふるい装置を提供するものである。
【００３５】
そして、本発明は、特許文献３の発明の如く、超音波発振子で発生された超音波振動を、振動伝達部材を介して、網枠の内側に配置された振動部材に伝え、この振動部材から直接ふるい網に伝えるための構成が非常に複雑になり製品製作コストがアップする等の欠点を解消する円型振動ふるい装置を提供するものである。
【００３６】
斯くして、本発明は、ふるい網にふるい容器本体の外部に設けた超音波発振子の超音波振動を伝達するために設けた略Ｌ字形状の金属製丸棒からなるウェーブガイドバーと、該ウェーブガイドバーの一端がふるい容器本体の外部に設けた超音波発振子の先端部に接続され、他端はウェーブガイドバーが略Ｌ字形状の水平直線部で前記ふるい容器本体の中央部に位置するふるい枠を貫通してふるい容器本体内部のふるい網下部に挿入され、該ウェーブガイドバーはＬ字に曲がって前記スイープリング２６の下部に溶接される構成を有する超音波振動伝達部において、前記ウェーブガイドバーが装着されるふるい枠のウェーブガイド貫通部はふるい枠を切欠き中央に貫通孔を有したフランジ板を溶接し、該フランジ板に板状の高分子弾性体から成るウェーブガイドパッキンを設け、該ウェーブガイドパッキンを挟持するパッキン押さえ板を設けることにより、前記ふるい容器本体の中央部に位置するウェーブガイドバーのウェーブガイド貫通部３０を高分子弾性体から成るウェーブガイドパッキンにより密閉していることが好ましい。
【００３７】
また、本発明は、ふるい網にふるい容器本体の外部に設けた超音波発振子の超音波振動を伝達するために設けた略Ｌ字形状の金属製丸棒からなるウェーブガイドバーと、該ウェーブガイドバーの一端がふるい容器本体の外部に設けた超音波発振子の先端部に接続され他端はウェーブガイドバーが略Ｌ字形状の水平直線部で前記ふるい容器本体の中央部に位置するふるい枠を貫通してふるい容器本体内部のふるい網下部に挿入され、該ウェーブガイドバーはＬ字に曲がって前記スイープリングの下部に溶接される構成の超音波振動伝達部において、
前記ふるい容器本体の中央部に位置するふるい枠の貫通部には直接ふるい枠に成型加工した高分子弾性体からなるウェーブガイドパッキンを取付ける貫通孔４４を穿ち、該ウェーブガイドパッキンを介して前記ウェーブガイドバーがウェーブガイド挿入穴に挿入され前記ふるい枠を貫通してふるい容器本体内部のふるい網下部に配置されていることが好ましい。
【００３８】
更に本発明は、振動モータによって振動可能に支持した有底円筒形状のふるい容器本体、該ふるい容器本体の中央部に位置するふるい枠の上部に固定バンドにて着脱自在に載置された網枠、該網枠内に内蔵固定されたカセット網フレームとスイープリング、該カセット網フレームとスイープリングは支持ブリッチにて一体化しており、該一体化されたカセット網フレームとスイープリング上に張設されたふるい網、該ふるい網に前記ふるい容器本体外部に設けた超音波発振子の超音波振動を伝達するために設けた略Ｌ字形状の金属製丸棒からなるウェーブガイドバー、該ウェーブガイドバーの一端はふるい容器本体外部に設けた超音発振動子の先端部に接続され他端は略Ｌ字形状の水平直線部で前記ふるい容器本体３の中央部に位置するふるい枠を貫通してふるい容器本体内部のふるい網下部に挿入されＬ字に曲がって前記スイープリングの下部に溶接された構成の超音波振動伝達部からなり、該超音波振動伝達部のうち前記ふるい容器本体の中央部に位置するふるい枠のウェーブガイド貫通部は高分子弾性体から成るウェーブガイドパッキンにより密閉していることが好ましい。
【００３９】
そして、本発明における構成の一部は、前記ふるい容器本体の外部に設けた超音波発振子は高分子弾性体からなる弾性保持体を介してコンバーターサポートリングにより保持され、該コンバーターサポートリングは二本の板材からなるアーム形状のコンバーター支持具により支持されており、該二本のアームコンバーター支持具は夫々の基板を前記ふるい容器本体を形成するふるい枠の外周部に設けられた取付金具によりふるい容器本体に固着保持されていることが好ましい。
【００４０】
本発明は、略Ｌ字形状の金属製丸棒からなるウェーブガイドバーによりふるい容器本体の外部に設けられた超音波発振子にてスイープリングに超音波振動が伝達され、このスイープリングを介してふるい網に超音波振動が伝えられる構成で、ふるい網への振動は途中で抑制・減衰することなく超音波振動を効率良くふるい網に伝達できる円型振動ふるい装置を提供できる。
【００４１】
また、本発明において、略Ｌ字形状の金属製丸棒からなるウェーブガイドバーを介してスイープリング、そしてふるい網に伝達される超音波振動は、従来の固定周波数による超音波振動とは異なり、任意の周波数を軸として増減を繰り返す振動を前記スイープリングに与えることができるので、ふるい網前面にムラなく振動を与えることが可能となり、ふるい網への振動は途中で大幅に減衰することなく超音波微振動を効率良くふるい網に伝達でき、原材料の分散とふるい網の目詰まりを除去できる円型振動ふるい装置を提供できる。
【００４２】
更に、本発明は、超音波発振子をウェーブガイドバーを介してふるい容器本体の外部に設置することができたために、超音波発振子に高周波電源を供給するためのケーブル等から振動に伴ってビニール、塗料、接着材等が擦れたり剥がれてしまい被処理材料内に異物として混入する欠点を解消することができ、また、ふるい網の下側には、わずかに金属製の丸棒からなるウェーブガイドの一部が存在するのみであり、ふるい処理中に被粉体材料が付着したり堆積してしまう構成や突出部材がすくないので、１ロット毎の洗浄やクリーニングが容易に行える円型振動ふるい装置を提供することが可能になった。
【００４３】
そして、本発明は、超音波発振子で発生された超音波振動を略Ｌ字形状の金属製丸棒からなるウェーブガイドバーによりスイープリングに直接伝達するもので、該超音波振動はスイープリングを介してふるい網に伝えられる簡単な構成であることから、製品製作コストの削減が大幅に可能となり、構造が簡単でシンプルな構成は耐久性を向上させ、メンテナンスが容易に行える円型振動ふるい装置を提供するものである。
【実施例１】
【００４４】
斯して、図１、図２並びに図４は本発明の実施例１を説明するもので、図１は、本発明における円型振動ふるい装置を示す要部断面図、図２（Ａ）は実施例１を説明する縦断面拡大図、図２（Ｂ）は、実施例１を説明する図２（Ａ）の平面断面図であり、また、図４（Ａ）は、本発明のふるい網部を説明する斜視図、図４（Ｂ）は、本発明のふるい網部の駆動状態説明である。
【００４５】
図１、図２並びに図４において、１は円型振動ふるい装置、２は設置面に固定された固定架台、３はふるい容器本体、４ａ、４ｂ、４ｃ・・・はふるい容器本体３をフレキシブルに保持するコイルスプリング、５は中央上部に被処理材料の投入口６を有する上蓋、７はふるい網８（図２（Ａ）（Ｂ）に記載）上部に選別された被処理材料の取出口、同じく９はふるい分けされた被処理材料の排出口である。
【００４６】
前記ふるい容器本体３は、前記上蓋５の下部に中枠１０、網枠１１、ふるい枠１２を介して緩やかな円錐形状の底部１３を有した下枠１４により構成されており、該上蓋５と中枠１０の接続は枠用パッキン１５ａ（図２（Ａ）（Ｂ）に記載）を介して着脱自在にワンタッチ式の枠固定バンド１６ａにて固着されており、該中枠１０と網枠１１は一体化されている。そして、中枠１０の下部に一体化された網枠１１とふるい枠１２の接続は枠用パッキン１５ｂを介して着脱自在にワンタッチ式の枠固定バンド１６ｂにて固着され、更にふるい枠１２と下枠１４の接続は枠用パッキン１５ｃを介して着脱自在にワンタッチ式の枠固定バンド１６ｃにて固着されている。
【００４７】
即ち、ふるい容器本体３は上蓋５、中枠１０、網枠１１、ふるい枠１２、そして下枠１４により構成されており、夫々の枠体は、枠用パッキン１５ａ、１５ｂ、１５ｃを介してワンタッチ式の枠固定バンド１６ａ、１６ｂ、１６ｃにて着脱自在に組立されて固着しており、夫々の枠体は必要に応じて分解され、１ロット毎の洗浄やクリーニングが容易に行える様に構成されている。
【００４８】
上述のふるい容器本体３の下方には、前記設置面に固定された固定架台２が配置されており、該固定架台２内には、モータベース１７、及び補強リブ１８を介してコイルスプリング４ａ、４ｂ、４ｃ・・・にて懸吊された振動モータ１９が装着されており、該振動モータ１９には上側と下側でその回転軸に偏芯させて固定した上部ウェイト２０と下部ウェイト２１を有しており、該振動モータ１９が駆動することにより、モータベース１７を介して連繋された下枠１４、ふるい枠１２、網枠１１、そして、網枠１１の内部に張設されたふるい網８等から成るふるい容器本体３が、上下方向と水平方向の振動成分をあわせ持つ３次元振動を惹起される。
【００４９】
而して、実施例１においては、ふるい容器本体３の外部に超音波発振機２２に接続された超音波発振子２３が設置されており、該超音波発振子２３の先端にはウェーブガイドバー２４が接続されている。ウェーブガイドバー２４は超音波発振子２３の超音波振動を伝達するために設けた略Ｌ字形状の金属製丸棒からなるもので、該ウェーブガイドバー２４はふるい容器本体３の中央部に位置するふるい枠１２を貫通してふるい容器本体３の内部に設けられたふるい網８の下部に挿入されている。
【００５０】
図２（Ａ）は、超音波発振子２３とウェーブガイドバー２４の接続状態を示す縦断面拡大図であり、図２（Ｂ）はその平面要部拡大図である。図２において、前記ウェーブガイドバー２４は、ふるい容器本体３の中央部に位置するふるい枠１２を貫通してふるい容器本体３の内部に設けられたふるい網８の下部に挿入されており、該ふるい網８の下部には、ふるい網８を保持する網枠１１内に内蔵固定されたカセット網フレーム２５とスイープリング２６が設けている。また、前記カセット網フレーム２５とスイープリング２６は、支持ブリッチ２７（図４（Ａ）に示す）にて一体化しており、該一体化したカセット網フレーム２５とスイープリング２６上には前記ふるい網８が張設されている。
【００５１】
従って、超音波発振子２３の先端部に接続されたウェーブガイドバー２４の他端は、ウェーブガイドバー２４が略Ｌ字形状の水平直線部２８で前記ふるい容器本体３の中央部に位置するふるい枠１２を貫通してふるい容器本体３内部のふるい網８下部に挿入されＬ字形状に曲がってスイープリング２６の下部に溶接され超音波振動伝達部２９を形成しており、前記ふるい容器本体３の中央部に位置するふるい枠１２のウェーブガイド貫通部３０は、ふるい枠１２を切欠き中央に貫通孔３１を有したフランジ板３２を溶接し、該フランジ板３２に板状高分子弾性体から成るウェーブガイドパッキン３３を設け、該ウェーブガイドパッキン３３を挟持するパッキン押さえ板３４を設けることにより、前記ふるい容器本体３の中央部に位置するふるい枠１２のウェーブガイド貫通部３０は、高分子弾性体から成るウェーブガイドパッキン３３により密閉されている。尚、３５はウェーブガイドパッキング３３に穿たれたウェーブガイドパッキン孔３５であり、上記高分子弾性体から成るウェーブガイドパッキン３３は熱可塑性樹脂系エラストマーからなるシリコーンゴムやウレタンゴム等がある。
【００５２】
また、前記ふるい容器本体３の外部に設けた超音波発振子２３は図２（Ｂ）に示す如く、高分子弾性体等から成る弾性保持体３６を介してコンバーターサポートリング３７により保持され、該コンバーターサポートリング３７は二本の板材からなるアーム形状のコンバーター支持具３８ａ、３８ｂにより支持されており、該二本のアームコンバーター支持具３８ａ、３８ｂは夫々の基板３９ａ、３９ｂをふるい枠１２の外周部４０に溶接されたＵ字形状の板材曲げ加工部材の取付金具４１ａ、４１ｂによりふるい容器本体３へボルト４２ａ、４２ｂにて固着保持されている。
【００５３】
斯して、実施例１は、ふるい網８にふるい容器本体３の外部に設けた超音波発振子２３の超音波振動を伝達するために設けた略Ｌ字形状の金属製丸棒からなるウェーブガイドバー２４と、該ウェーブガイドバー２４の一端がふるい容器本体３の外部に設けた超音波発振子２３の先端部に接続され、他端はウェーブガイドバー２４が略Ｌ字形状の水平直線部２８で前記ふるい容器本体３の中央部に位置するふるい枠１２を貫通してふるい容器本体３内部のふるい網８下部に挿入され、該ウェーブガイドバー２４はＬ字に曲がって前記スイープリング２６の下部に溶接される構成を有する超音波振動伝達部２９において、前記ウェーブガイドバー２４が装着されるふるい枠１２のウェーブガイド貫通部３０はふるい枠１２を切欠き中央に貫通孔３１を有したフランジ板３２を溶接し、該フランジ板３２に板状の高分子弾性体から成るウェーブガイドパッキン３３を設け、該ウェーブガイドパッキン３３を挟持するパッキン押さえ板３４を設けることにより、前記ふるい容器本体３の中央部に位置するウェーブガイドバー２４のウェーブガイド貫通部３０を高分子弾性体から成るウェーブガイドパッキン３３により密閉しているものである。
【００５４】
また、実施例１において、前記ふるい容器本体３の外部に設けた超音波発振子２３は高分子弾性体からなる弾性保持体３６を介してコンバーターサポートリング３７により保持され、該コンバーターサポートリング３７は二本の板材からなるアーム形状のコンバーター支持具３８ａ、３８ｂにより支持されており、該二本のアームコンバーター支持具３８ａ、３８ｂは夫々の基板３９ａ、３９ｂを前記ふるい容器本体３を形成するふるい枠１２の外周部４０に設けられた取付金具４１ａ、４１ｂによりふるい容器本体３に固着保持されているものである。
【００５５】
更に、実施例１は、振動モータ１９によって振動可能に支持した有底円筒形状のふるい容器本体３、該ふるい容器本体３の中央部に位置するふるい枠１２の上部に固定バンド１６ｂにて着脱自在に載置された網枠１１、該網枠１１内に内蔵固定されたカセット網フレーム２５とスイープリング２６、該カセット網フレーム２５とスイープリング２６は支持ブリッチ２７にて一体化しており一体化されたカセット網フレーム２４とスイープリング２６上に張設されたふるい網８、該ふるい網８に前記ふるい容器本体３外部に設けた超音波発振子２３の超音波振動を伝達するために設けた略Ｌ字形状の金属製丸棒からなるウェーブガイドバー２４、該ウェーブガイドバー２４の一端はふるい容器本体３外部に設けた超音発振動子２３の先端部に接続され他端は略Ｌ字形状の水平直線部２８で前記ふるい容器本体３の中央部に位置するふるい枠１２を貫通してふるい容器本体３内部のふるい網８下部に挿入されＬ字に曲がって前記スイープリング２６の下部に溶接された構成の超音波振動伝達部２９からなり、該超音波振動伝達部２９のうち前記ふるい容器本体３の中央部に位置するふるい枠１２のウェーブガイド貫通部３０は高分子弾性体から成るウェーブガイドパッキン３３により密閉している円型振動ふるい装置を提供する。
【００５６】
そして、実施例１は、図４（Ｂ）に示す如く、略Ｌ字形状の金属製丸棒からなるウェーブガイドバー２４によりふるい容器本体３の外部に設けられた超音波発振子２２にてスイープリング２６に超音波振動が伝播され、このスイープリング２６を介してふるい網８に超音波振動が伝えられる構成で、ふるい網８への振動は途中で抑制されて減衰することなく超音波振動を効率良くふるい網に伝播できる円型振動ふるい装置を提供できる。
【００５７】
また、実施例１において、略Ｌ字形状の金属製丸棒からなるウェーブガイドバー２４を介してスイープリング２４とふるい網８に伝達される矢印ａの水平振動や矢印ｂの上下振動からなる超音波振動は、従来の固定周波数による超音波振動とは異なり、任意の周波数を軸として増減を繰り返す振動Ｗを前記スイープリング２４に与えることができるので、ふるい網８の前面にムラなく振動を与えることが可能となり、ふるい網８への振動はウェーブガイドパッキン３３とウェーブガイドバー２４の働きで途中で大幅に抑制されたり減衰することなく超音波振動を効率良くふるい網８に伝達でき、原材料の分散とふるい網の目詰まりを除去できる円型振動ふるい装置を提供できる。
【００５８】
そして、本発明は、超音波発振子２３をウェーブガイドバー２４を介してふるい容器本体３の外部に設置することができるために、超音波発振子２３に高周波電源を供給するためのケーブル等から振動に伴ってビニール、塗料、接着材等が擦れたり剥がれてしまい被処理材料内に異物として混入する欠点を解消することができ、また、ふるい網８の下側には、わずかに金属製の丸棒からなるウェーブガイドバー２４の一部が存在するのみであり、ふるい処理中に被粉体材料が付着したり堆積してしまう突出部材等が少なく構成でき、１ロット毎の洗浄やクリーニングが容易に行える円型振動ふるい装置を提供することが可能になった。
【００５９】
また、本発明は、超音波発振子２３で発生された超音波振動を略Ｌ字形状の金属製丸棒からなるウェーブガイドバー２４によりスイープリング２６に直接伝達するもので、該超音波振動はスイープリング２６を介してふるい網８に伝えられる簡単な構成であることから、製品製作コストの削減が大幅に可能となり、構造が簡単でシンプルな構成は耐久性を向上させ、メンテナンスが容易に行える円型振動ふるい装置を提供するものである。
【実施例２】
【００６０】
図１、図３並びに図４は本発明の実施例３を説明するもので、図１は、本発明における円型振動ふるい装置を示す要部断面図、図３（Ａ）は実施例２を説明する縦断面拡大図、図３（Ｂ）は、実施例２を説明する図３（Ａ）の平面断面図であり、また、図４（Ａ）は、本発明のふるい網部を説明する斜視図、図４（Ｂ）は、本発明のふるい網部の駆動状態説明である。尚、実施例２は、図１及び図４を再度説明に使用している。
【００６１】
図１、図３、並びに図４において、１は円型振動ふるい装置、２は設置面に固定された固定架台、３はふるい容器本体、４ａ、４ｂ、４ｃ・・・はふるい容器本体３をフレキシブルに保持するコイルスプリング、５は中央上部に被処理材料の投入口６を有する上蓋、７はふるい網８（図２（Ａ）（Ｂ）に記載）上部に選別された被処理材料の取出口、同じく９はふるい分けされた被処理材料の排出口である。
【００６２】
前記ふるい容器本体３は、前記上蓋５の下部に中枠１０、網枠１１、ふるい枠１２を介して緩やかな円錐形状の底部１３を有した下枠１４により構成されており、該上蓋５と中枠１０の接続は枠パッキン１５ａ（図２（Ａ）（Ｂ）に記載）を介して着脱自在にワンタッチ式の枠固定バンド１６ａにて固着されており、該中枠１０と網枠１１は一体化されている。そして、中枠１０の下部に一体化された網枠１１とふるい枠１２の接続は枠パッキン１５ｂを介して着脱自在にワンタッチ式の枠固定バンド１６ｂにて固着され、更にふるい枠１２と下枠１４の接続は枠パッキン１５ｃを介して着脱自在にワンタッチ式の枠固定バンド１６ｃにて固着されている。
【００６３】
即ち、ふるい容器本体３は、上蓋５、中枠１０、網枠１１、ふるい枠１２、そして下枠１４により構成されており、夫々の枠体は、枠パッキン１５ａ、１５ｂ、１５ｃを介してワンタッチ式の枠固定バンド１６ａ、１６ｂ、１６ｃにて着脱自在に組立されて固着しており、夫々の枠体は必要に応じて分解され、１ロット毎の洗浄やクリーニングが容易に行える様に構成されている。
【００６４】
上述のふるい容器本体３の下方には、前記設置面に固定された固定架台２が配置されており、該固定架台２内には、モータベース１７、及び補強リブ１８を介してコイルスプリング４ａ、４ｂ、４ｃ・・・にて懸吊された振動モータ１９が装着されており、該振動モータ１９には上側と下側でその回転軸に偏芯させて固定した上部ウェイト２０と下部ウェイト２１を有しており、該振動モータ１９が駆動することにより、モータベース１７を介して連繋された下枠１４、ふるい枠１２、網枠１１、そして、網枠１１の内部に張設されたふるい網８等から成るふるい容器本体３は、上下方向と水平方向の振動成分をあわせ持つ３次元振動を惹起される。
【００６５】
而して、実施例２においては、ふるい容器本体３の外部に超音波発振機２２に接続された超音波発振子２３が設置されており、該超音波発振子２３の先端にはウェーブガイドバー２４が接続されている。ウェーブガイドバー２４は、超音波発振子２３の超音波振動を伝達するために設けた略Ｌ字形状の金属製丸棒からなるもので、該ウェーブガイドバー２４はふるい容器本体３の中央部に位置するふるい枠１２を貫通してふるい容器本体３内部のふるい網８下部に挿入されている。
【００６６】
図３（Ａ）は、超音波発振子２３とウェーブガイドバー２４の接続状態を示す縦断面拡大図であり、図３（Ｂ）はその平面要部拡大図である。図３において、前記ウェーブガイドバー２４は、ふるい容器本体３の中央部に位置するふるい枠１２を貫通してふるい容器本体３内部のふるい網８下部に挿入されており、該ふるい網８の下部には、ふるい網８を保持する網枠１１内に内蔵固定されたカセット網フレーム２５とスイープリング２６が設けある。また、前記カセット網フレーム２５とスイープリング２６は、支持ブリッチ２７（図４（Ａ）に示す）にて一体化しており、該一体化したカセット網フレーム２５とスィープリング２６上には前記ふるい網８が張設されている。
【００６７】
従って、超音波発振子２３の先端部に接続されたウェーブガイドバー２４の他端は、ウェーブガイドバー２４が略Ｌ字形状の水平直線部２８で前記ふるい容器本体３の中央部に位置するふるい枠１２を貫通してふるい容器本体３内部のふるい網８下部に挿入されＬ字形状に曲がってスイープリング２６の下部に溶接され超音波振動伝達部２９を形成しており、前記ウェーブガイドバー２４の一端はふるい容器本体３の外部に設けた超音波発振子２３の先端部に接続され他端はウェーブガイドバー２４が略Ｌ字形状の水平直線部２８で前記ふるい容器本体３の中央部に位置するふるい枠１２を貫通してふるい容器本体３内部のふるい網８下部に挿入されＬ字に曲がって前記スイープリング２６の下部に溶接されて形成した超音波振動伝達部２９からなり、前記ふるい容器本体３の中央部に位置するふるい枠１２のウェーブガイド貫通部３０には直接ふるい枠１２に成型加工した高分子弾性体からなるウェーブガイドパッキン４３を取付ける貫通孔４４を穿ち、該ウェーブガイドパッキン４３を介して前記ウェーブガイド貫通部３０を密閉している。そして、４５はウェーブガイドパッキン４３に形成されたウェーブガイドバー挿入穴で、前記ウェーブガイドバー２４の水平直線部２８はウェーブガイド挿入穴４５に挿入され、ふるい枠１２を貫通してふるい容器本体３内部のふるい網８下部に配置されている。
【００６８】
斯して、実施例２は、ふるい網８にふるい容器本体３の外部に設けた超音波発振子２３の超音波振動を伝達するために設けた略Ｌ字形状の金属製丸棒からなるウェーブガイドバー２４と、該ウェーブガイドバー２４の一端がふるい容器本体３の外部に設けた超音波発振子２３の先端部に接続され他端はウェーブガイドバー２４が略Ｌ字形状の水平直線部２８で前記ふるい容器本体３の中央部に位置するふるい枠１２を貫通してふるい容器本体３内部のふるい網８下部に挿入され、該ウェーブガイドバーはＬ字に曲がって前記スイープリング２６の下部に溶接される構成の超音波振動伝達部２９において、
前記ふるい容器本体３の中央部に位置するふるい枠１２の貫通部４４には直接ふるい枠１２に成型加工した高分子弾性体からなるウェーブガイドパッキン４３を取付ける貫通孔４４を穿ち、該ウェーブガイドパッキン４４を介して前記ウェーブガイドバー２４がウェーブガイド挿入穴４５に挿入され前記ふるい枠１２を貫通してふるい容器本体３内部のふるい網８下部に配置されているものである。
【００６９】
また、実施例２は、前記ふるい容器本体３の外部に設けた超音波発振子２３は高分子弾性体からなる弾性保持体３６を介してコンバーターサポートリング３７により保持され、該コンバーターサポートリング３７は二本の板材からなるアーム形状のコンバーター支持具３８ａ、３８ｂにより支持されており、該二本のアームコンバーター支持具３８ａ、３８ｂは夫々の基板３９ａ、３９ｂを前記ふるい容器本体３を形成するふるい枠１２の外周部４０に設けられた取付金具４１ａ、４１ｂによりふるい容器本体３に固着保持されているものであり、実施例１に比較して貫通孔３１を有したフランジ板３２をふるい枠１２に溶接したり、二本のアームコンバーター支持具３８ａ、３８ｂを取付けるためふるい枠１２の外周部４０に設けられた取付金具４１ａ、４１ｂをふるい容器本体３に溶接する必要がなく、当該部分をきれいに仕上げることができる。
【００７０】
更に、実施例２は、振動モータ１９によって振動可能に支持した有底円筒形状のふるい容器本体３、該ふるい容器本体３の中央部に位置するふるい枠１２の上部に固定バンド１６ｂにて着脱自在に載置された網枠１１、該網枠１１内に内蔵固定されたカセット網フレーム２５とスイープリング２６、該カセット網フレーム２５とスイープリング２６は支持ブリッチ２７にて一体化しており一体化されたカセット網フレーム２４とスイープリング２６上に張設されたふるい網８、該ふるい網８に前記ふるい容器本体３外部に設けた超音波発振子２３の超音波振動を伝達するために設けた略Ｌ字形状の金属製丸棒からなるウェーブガイドバー２４、該ウェーブガイドバー２４の一端はふるい容器本体３外部に設けた超音発振動子２３の先端部に接続され他端は略Ｌ字形状の水平直線部２８で前記ふるい容器本体３の中央部に位置するふるい枠１２を貫通してふるい容器本体３内部のふるい網８下部に挿入されＬ字に曲がって前記スイープリング２６の下部に溶接された構成の超音波振動伝達部２９からなり、該超音波振動伝達部２９のうち前記ふるい容器本体３の中央部に位置するふるい枠１２のウェーブガイド貫通部３０は高分子弾性体から成るウェーブガイドパッキン４３により密閉している円型振動ふるい装置を提供する。
【００７１】
そして、実施例２は、図４（Ｂ）に示す如く、略Ｌ字形状の金属製丸棒からなるウェーブガイドバー２４によりふるい容器本体３の外部に設けられた超音波発振子２３にてスイープリング２６に超音波振動が伝播され、このスイープリング２６を介してふるい網８に超音波振動が伝えられる構成で、ふるい網８への振動はウェーブガイドバー２４とウェーブガイドパッキン４３の働きで当該部分において抑制されたり減衰されることなくことなく超音波振動を効率良くふるい網に伝達できる円型振動ふるい装置を提供できる。
【００７２】
また、実施例２において、略Ｌ字形状の金属製丸棒からなるウェーブガイド２４を介してスイープリング２４とふるい網８に伝達される矢印ａの水平振動や矢印ｂの上下振動からなる超音波振動は、従来の固定周波数による超音波振動とは異なり、任意の周波数を軸として増減を繰り返す振動Ｗを前記スイープリング２４に与えることができるので、ふるい網８の前面にムラなく振動を与えることが可能となり、ふるい網８への振動はウェーブガイドバー２４とウェーブガイドパッキン４３の働きで途中で大幅に減衰することなく超音波振動を効率良くふるい網８に伝達でき、原材料の分散とふるい網の目詰まりを除去できる円型振動ふるい装置を提供できる。
【００７３】
そして、本発明は、超音波発振子２３をウェーブガイドバー２４を介してふるい容器本体３の外部に設置することができるために、超音波発振子２２に高周波電源を供給するためのケーブル等から振動に伴ってビニール、塗料、接着材等が擦れたり剥がれてしまい被処理材料内に異物として混入する欠点を解消することができ、また、ふるい網８の下側には、わずかに金属製の丸棒からなるウェーブガイドバー２４の一部が存在するのみであり、ふるい処理中に被粉体材料が付着したり堆積してしまう突出部材等が少ないので、１ロット毎の洗浄やクリーニングが容易に行える円型振動ふるい装置を提供することが可能になった。
【００７４】
また、本発明は、超音波発振子２３で発生された超音波振動を略Ｌ字形状の金属製丸棒からなるウェーブガイドバー２４によりスイープリング２６に直接伝達するもので、該超音波振動はスイープリング２６を介してふるい網８に伝えられる簡単な構成であることから、製品製作コストの削減が大幅に可能となり、構造が簡単でシンプルな構成は耐久性を向上させ、メンテナンスが容易に行える円型振動ふるい装置を提供するものである。
【符号の説明】
【００７５】
１  円型振動ふるい装置
２  固定架台
３  ふるい容器本体
４ａ、４ｂ、４ｃ・・・  コイルスプリング
５  上蓋
６  投入口
７  取出口
８  ふるい網
９  排出口
１０  中枠
１１  網枠
１２  ふるい枠
１３  底部
１４  下枠
１５ａ、１５ｂ、１５ｃ  枠用パッキン
１６ａ、１６ｂ、１６ｃ、枠固定バンド
１７  モータベース
１８  補強リブ
１９  振動モータ
２０  上部ウェイト
２１  下部ウェイト
２２  超音波発振機
２３  超音波発振子
２４  ウェーブガイドバー
２５  カセット網フレーム
２６  スイープリング
２７  支持ブリッチ
２８  水平直線部
２９  超音波振動伝達部
３０  ウェーブガイド貫通部
３１  貫通孔  
３２  フランジ板
３３  ウェーブガイドパッキン
３４  ウェーブガイドパッキン押さえ板
３５  ウェーブガイドパッキン孔
３６  弾性保持体
３７  コンバーター保持リング
３８ａ、３８ｂ  コンバーター支持具
３９ａ、３９ｂ  基板
４０  外周部
４１ａ、４１ｂ  取付金具
４２ａ、４２ｂ  ボルト
４３  ウェーブガイドパッキン
４４  貫通孔
４５  ウェーブガイド挿入孔
【図１】
0005475078.tif 000002
【図２】
0005475078.tif 000003
【図３】
0005475078.tif 000004
【図４】
0005475078.tif 000005